(57)【要約】      （修正有）【課題】殆んど無排土で施工でき、安定した品質を容易に確保でき、低コストで施工可能な地盤補強工法を提供する。【解決手段】ケーシング１先端に係合する先端掘削翼２は、ケーシング先端を閉塞し、板状刃と翼部を有する。先端掘削翼２はケーシング１の貫入時回転方向にはケーシングと係合して一体に回転し、引き抜き時の逆回転に対してはケーシングから外れる。ケーシング１を地盤に回転・圧入して所定深度まで貫入し、次いで、ケーシング１内にコンクリート等の注入材７を打設し、鉄筋を挿入することなく注入材７が固まらないうちにケーシングを引き抜いて、小口径コンクリート杭を築造する。先端金具２はケーシングの先端から外れて掘削孔の底に残る。ケーシングが小径であり掘削土はそれほど多くないので殆んど無排土で施工できる。掘削孔径が確保されたケーシング内に注入材を打設するので、品質の安定した小口径コンクリート杭が得られる。【選択図】図１
2014091930.tif 000002
【特許請求の範囲】
【請求項１】
ケーシングとこのケーシングの先端に係脱可能に取り付けられてケーシングの回転・圧入を促進するための先端掘削翼とを用いて施工する、小口径コンクリート場所打ち杭を用いた地盤補強工法であって、
前記先端掘削翼は、ケーシング径より大径でケーシングの先端開口を閉塞する一部切欠き円板部とこの一部切欠き円板部に基部が固定された、尖った先端部を有する板状刃とからなるとともに、前記一部切欠き円板部は、ケーシングの先端開口を閉塞する円形閉塞部と、この円形閉塞部に連接してケーシング外周面より半径方向外方に一部切欠き鍔状に延在する一部切欠きの翼部とからなり、前記翼部における前記切欠き部の片側近傍は上向きに傾斜して上向き傾斜面部を形成し、他側近傍は下向きに傾斜して下向き傾斜面部を形成する構造であり、、
かつ、ケーシングの貫入時回転方向に対してはケーシングと係合して一体に回転し前記貫入時回転方向と逆方向の回転に対してはケーシングから外れるようにケーシングに係合しており、
前記ケーシングの先端に前記先端掘削翼を係合させた状態で当該ケーシングを、ケーシング上端部に接続した回転・圧入駆動装置により地盤に回転・圧入して所定深度まで貫入し、
次いで、前記ケーシング内にコンクリート、モルタル、砕石混合セメントミルクのいずれかである注入材を打設し、
鉄筋を挿入することなく前記注入材が固まらないうちに前記ケーシングを、前記先端掘削翼がケーシングの先端から外れて残るように、前記貫入時回転方向と逆方向に回転させながら引き抜いて杭を築造することを特徴とする小口径コンクリート場所打ち杭を用いた地盤補強工法。
【請求項２】
前記ケーシングを、ケーシング上端部に接続した回転・圧入駆動装置により回転・圧入して所定深度まで貫入した後、前記回転・圧入駆動装置をケーシングから切り離し、
次いで、前記ケーシング内に注入材を打設した後、前記回転・圧入駆動装置をケーシングの上端部に再接続し、その後、ケーシングを引き抜くことを特徴とする請求項１記載の小口径コンクリート場所打ち杭による地盤補強工法。
【請求項３】
前記先端掘削翼は、前記一部切欠き円板部の前記板状刃と反対側の面に、前記ケーシングの先端部に嵌合する短い円筒部を溶接固定した構造であることを特徴とする請求項１又は２記載の小口径コンクリート場所打ち杭を用いた地盤補強工法。
【請求項４】
前記一部切欠き円板部は、円形鋼板を切り込み曲げ加工して製作したものであり、素材の円形鋼板に、当該一部切欠き円板部に溶接固定される前記円筒部の下端外周に沿うように所定範囲に円弧状の切込みａを設け、前記切込みａを含む所定範囲を半径方向外側への２本の切込みｂによって扇形状に切り欠いて切欠き部ｃを形成し、前記切込みａの各終端と円形鋼板の中心を結ぶ線分の延長線ｄを折曲げ線として前記切欠き部ｃの片側を上方に折曲して上向き傾斜面部を形成し、前記切欠き部ｃの他側を下方に折曲して下向き傾斜面部を形成してなり、前記上向き傾斜面部および前記下向き傾斜面部の切込み部ａにおける傾斜部と非傾斜部の交差部とを溶接接合して、前記切欠き部ｃを介在させて対向する上向き傾斜面部と下向き傾斜面部とが形成された翼部を設けたことを特徴とする請求項３記載の小口径コンクリート場所打ち杭による地盤補強工法。
【請求項５】
前記ケーシングと先端掘削翼との係合構造が、前記ケーシング先端部内面に円周方向に間隔をあけて固定した２箇所以上の突起と、前記先端掘削翼の一部切欠き円板部の円形閉塞部の内面に固定された、前記各突起に係合可能な態様のＬ形係合片とによる係合構造であることを特徴とする請求項３又は４記載の小口径コンクリート場所打ち杭を用いた地盤補強工法。
【発明の詳細な説明】
【技術分野】
【０００１】
この発明は、小規模の建築物や擁壁などの小規模構造物に適用して好適な小口径コンクリート場所打ち杭による地盤補強工法に関する。
【背景技術】
【０００２】
小規模建築物に採用されている地盤補強工法として、小径の鋼管杭や既製コンクリート杭を打設する既製杭工法が広く採用されている。例えば特許文献１で採用している工法は、地盤をオーガードリルで掘削しながら鋼管杭を埋め込む工法である。また、特許文献５の回転貫入鋼管杭工法では鋼管先端に溶接固定した鋼製翼に特徴がある。
【０００３】
また、例えば先端部に攪拌翼を有する掘削攪拌ロッドを地中に貫入させる等して、地盤を掘削しながらセメント系固化材を注入して、掘削した原地盤土とセメント系固化材と攪拌混合させ固化させ、柱状杭（ないし柱状補強体）を造成するいわゆる柱状改良杭工法も広く採用され、具体的な施工方法としては種々の工法がある（特許文献２、特許文献３）。
また、地盤をアースオーガー等で掘削し、その掘削孔に、排出した掘削土とセメント系固化材とを混合した改良土を埋め戻し締め固めることで柱状補強体を形成するいわゆる乾式の柱状改良杭工法もある（特許文献３ではこの工法も採用）。
【０００４】
ところで、場所打ち杭工法の代表的な工法の一つであるオールケーシング工法は、先端に掘削刃を持つケーシングを揺動圧入等により地盤に圧入し、ケーシング内をハンマーグラブで掘削・排出し、掘削孔に鉄筋かごを挿入し、コンクリートを注入しながらケーシングを引き抜くことで鉄筋コンクリート杭を造成する工法（例えば特許文献４で採用されている）であるが、施工設備が大掛かりであり、一般に小規模建築物には適さない。また、排出土の処理に費用がかかり、環境問題も生じる。リバース工法、アースドリル工法等も同様である。
【先行技術文献】
【特許文献】
【０００５】
【特許文献１】特開２００２−３５６８４６
【特許文献２】特開２００６−２８３４３８
【特許文献３】特開平１１−２４７１７５
【特許文献４】特開２００２−１１５４８１
【特許文献５】特開２０１０−２８１２０５
【発明の概要】
【発明が解決しようとする課題】
【０００６】
上記の鋼管杭や既製コンクリート杭は、杭材を生産工場から現場へ搬送するのが容易でなく、コストも高くなるという問題がある。また、地盤状況によっては杭の長さ調整が必要となるという問題もある。また、回転貫入鋼管杭工法では、鋼管を現場溶接した時の品質確保の問題や、使用する鋼管が高価であるという問題もある。
また、柱状改良杭工法は所望の強度を安定して得ることが必ずしも簡単でないという品質確保の問題があり、また、施工に伴い発生する残土の処理の問題もある。
【０００７】
上記のような背景のもと、オールケーシング工法やリバース工法、アースドリル工法等の工法は小規模建築物の施工には適していないが、そのような場所打ち杭工法を部分的に変更、簡易化し、小口径であることを生かして掘削土の排出を無くすか少なくすることができれば、小規模建築物用の工法として従来の小規模建築物用の工法の欠点を解消することが可能ではないか、という観点で開発を進めて本発明を得ることができた。
本発明は、小規模構造物に適用可能な小口径コンクリート杭に特化することで、残土の排出が殆んどなく、安定した品質を確保することが容易で、しかも施工が容易かつ低コストで施工できる小口径コンクリート場所打ち杭による地盤補強工法を提供することを目的とする。
【課題を解決するための手段】
【０００８】
上記課題を解決する請求項１の発明は、ケーシングとこのケーシングの先端に係脱可能に取り付けられてケーシングの回転・圧入を促進するための先端掘削翼とを用いて施工する、小口径コンクリート場所打ち杭を用いた地盤補強工法であって、
前記先端掘削翼は、ケーシング径より大径でケーシングの先端開口を閉塞する一部切欠き円板部とこの一部切欠き円板部に基部が固定された、尖った先端部を有する板状刃とからなるとともに、前記一部切欠き円板部は、ケーシングの先端開口を閉塞する円形閉塞部と、この円形閉塞部に連接してケーシング外周面より半径方向外方に一部切欠き鍔状に延在する一部切欠きの翼部とからなり、前記翼部における前記切欠き部の片側近傍は上向きに傾斜して上向き傾斜面部を形成し、他側近傍は下向きに傾斜して下向き傾斜面部を形成する構造であり、
かつ、ケーシングの貫入時回転方向に対してはケーシングと係合して一体に回転し前記貫入時回転方向と逆方向の回転に対してはケーシングから外れるようにケーシングに係合しており、
前記ケーシングの先端に前記先端掘削翼を係合させた状態で当該ケーシングを、ケーシング上端部に接続した回転・圧入駆動装置により地盤に回転・圧入して所定深度まで貫入し、
次いで、前記ケーシング内にコンクリート、モルタル、砕石混合セメントミルクのいずれかである注入材を打設し、
鉄筋を挿入することなく前記注入材が固まらないうちに前記ケーシングを、前記先端掘削翼がケーシングの先端から外れて残るように、前記貫入時回転方向と逆方向に回転させながら引き抜いて杭を築造することを特徴とする。
【０００９】
請求項２は、請求項１の小口径コンクリート場所打ち杭による地盤補強工法において、
前記ケーシングを、ケーシング上端部に接続した回転・圧入駆動装置により回転・圧入して所定深度まで貫入した後、前記回転・圧入駆動装置をケーシングから切り離し、
次いで、前記ケーシング内に注入材を打設した後、前記回転・圧入駆動装置をケーシングの上端部に再接続し、その後、ケーシングを引き抜くことを特徴とする。
【００１０】
請求項３は、請求項１又は２の小口径コンクリート場所打ち杭による地盤補強工法において、前記先端金具は、前記一部切欠き円板部の前記板状刃と反対側の面に、前記ケーシングの先端部に嵌合する短い円筒部を溶接固定した構造であることを特徴とする。
【００１１】
請求項４は、請求項３の小口径コンクリート場所打ち杭による地盤補強工法において、
前記一部切欠き円板部は、円形鋼板を切り込み曲げ加工して製作したものであり、前記円形鋼板に、当該一部切欠き円板部に溶接固定される前記円筒部の下端外周に沿うように所定範囲に円弧状の切込みａを設け、前記切込みａを含む所定範囲を半径方向外側への２本の切込みｂによって扇形状に切り欠いて切欠き部ｃを形成し、  前記切込みａの各終端と円形鋼板の中心を結ぶ線分の延長線ｄを折曲げ線として前記切欠き部ｃの片側を上方に折曲して上向き傾斜面部を形成し、前記切欠き部ｃの他側を下方に折曲して下向き傾斜面部を形成してなり、前記上向き傾斜面部および前記下向き傾斜面部の切込み部ａにおける傾斜部と非傾斜部の交差部とを溶接接合して、前記切欠き部ｃを介在させて対向する上向き傾斜面部と下向き傾斜面部とが形成された翼部を設けたことを特徴とする。
【００１２】
請求項５は、請求項３又は４記載の小口径コンクリート場所打ち杭を用いた地盤補強工法において、前記ケーシングと先端掘削翼との係合構造が、前記ケーシング先端部内面に円周方向に間隔をあけて固定した２箇所以上の突起と、前記先端掘削翼の一部切欠き円板部の円形閉塞部の内面に固定された、前記各突起に係合可能な態様のＬ形係合片とによる係合構造であることを特徴とする。
【発明の効果】
【００１３】
本発明の小口径コンクリート場所打ち杭による地盤補強工法によれば、ケーシングの外径が小径であり掘削土はそれほど多くないので、殆んど無排土で施工でき、残土処理も不要となる。
また、先端掘削翼を係合させたケーシングを貫入して孔を掘削した後、掘削孔の底に先端掘削翼を残置させてケーシングのみを引き抜きながらケーシング内に注入材を注入するので、すなわち、掘削孔径が確保されたケーシング内に注入材を打設するので、品質の安定した小口径コンクリート杭の築造が可能である。
簡略化して言えば、ケーシングを貫入させ、注入材を注入し、鉄筋を挿入することなくケーシングを引き抜くという単純な施工手順で、品質の安定した口径コンクリート杭を得ることができるので、施工が容易であり、施工コストも安く済む。
既製杭工法と異なり、杭材を生産工場から搬送することが不要なので、この点でも工事全体としてのコストも安く済み、施工管理も容易になる。
このように、本発明によれば、小規模構造物に適用可能な小口径コンクリート杭に特化することで、残土の排出が殆んどなく、安定した品質を確保することが容易で、しかも施工が容易かつ低コストで施工が可能となる。
また、場所打ち杭であるから地盤状況によっては杭の長さ調整が必要となるという問題は生じないし、回転貫入鋼管杭工法と異なり、鋼管を現場溶接した時の品質確保の問題や、使用する鋼管が高価であるという問題もない。
【００１４】
本発明における先端掘削翼は、その翼部が、切欠き部空間ｃを挟んで片側に上向き傾斜部、他側に下向き傾斜部を有する構造なので、翼部の両傾斜部により大きな推進力が得られ、回転・圧入装置による押し込み力と合わせてケーシングの貫入が円滑に行なわれる。
また、ケーシングを貫入させて掘削する際、翼部が板状刃と協働して地盤の掘削を行うので、翼部の推進力が効率よく機能するとともに、翼部の両傾斜部と板状刃との相乗作用により、効率的に掘削することができる。
また、掘削孔の底に残置される先端掘削翼の形状を、例えば請求項４のようなＬ形係合片を持つ形状等の、硬化した注入材と一体係合する形状とすることで、先端掘削翼の広い翼部で大きな支持力を確保できることができる。すなわち、周面摩擦による支持力だけでなく、特許文献５の回転貫入鋼管杭工法と同様に先端支持力も確保することが可能となる。
【図面の簡単な説明】
【００１５】
【図１】本発明の一実施例の小口径コンクリート場所打ち杭による地盤補強工法の施工手順を説明する図である。
【図２】図１の地盤補強工法に用いるケーシング及びその先端に係合させた先端掘削翼を示すもので、（イ）は前記先端掘削翼をケーシングに係合させた状態で示した正面図、（ロ）は（イ）のＡ−Ａ断面図、（ハ）は上側部分は（イ）のＢ−Ｂ断面図であるが下側部分は（イ）の左側面図で示した図ある。
【図３】図２における先端掘削翼のみを示すもので、（イ）、（ロ）、（ハ）はそれぞれ、図２の（イ）、（ロ）、（ハ）における先端金具のみを示す図である。
【図４】図３の先端掘削翼における一部切欠き円板部を円形鋼板から切り込み曲げ加工して製作する要領を説明するため図であり、（イ）は素材の円形鋼板の平面図、（ロ）は製作した一部切欠き円板部の模式的な正面図である。
【図５】図２におけるケーシング先端部と先端掘削翼との係合構造の一箇所を示す斜視図である。
【図６】（イ）は先端掘削翼をケーシングの先端に係合させた状態で示した斜視図、（ロ）は先端金具を分離させた状態で示した斜視図である。
【図７】本発明の地盤補強工法の適用例を示すもので、（イ）は適用した小規模建築物のべた基礎の平面図、（ロ）は（イ）におけるＣ部の拡大断面図である。
【発明を実施するための形態】
【００１６】
以下、本発明の小口径コンクリート場所打ち杭による地盤補強工法を実施するための形態について、図面を参照して説明する。
【実施例１】
【００１７】
図１は本発明の一実施例の小口径コンクリート場所打ち杭による地盤補強工法の施工手順を説明する図である。以下の実施例では、ケーシングとして直径２１６．３ｍｍφの鋼管を使用して施工している。
（１）図１（イ）のように、小口径コンクリート杭を造成しようとする杭芯位置に合せて、先端に鋼製の先端掘削翼２を係合させたケーシング１をセットする。先端掘削翼１の詳細構造については後述する。
杭打ち機３のリーダ４には、ケーシング１の頭部に連結されてケーシング２を回転・圧入する回転・圧入駆動装置５がリーダ４に沿って昇降自在に設けられている。回転・圧入駆動装置５として、アースオーガーのオーガー駆動部を用いることができる。
（２）次いで、ケーシング１の鉛直性を確認した後、回転・圧入駆動装置５によりケーシング１を回転・圧入させながら、所定深度まで埋設する（図１（ロ））。
本発明の工法は先端支持力と周面摩擦力により所定の支持力を確保できる工法である。
先端掘削翼２は、詳細は後述するが、ケーシング１の貫入時回転方向に対してはケーシング１の先端に係合し、貫入時回転方向と逆方向の回転に対してはケーシング１の先端から外れる構造である。
また、ケーシング１が貫入される際、先端掘削翼２で掘削された土砂は、ケーシング１の外径が小径であり発生する掘削土はそれほど多くないので、掘削土が地上に排出されることは殆んどない。
このように殆んど無排土で施工することができ、残土処理をする必要がない。
【００１８】
（３）次いで、回転・圧入駆動装置５をケーシング１から切り離す（図１（ハ））。
（４）次いで、ケーシング１内に注入材を注入する（図１（ニ））。
注入材としては、コンクリート、モルタル、砕石混合セメントミルクのいずれかを用いる。注入された注入材を７で示す。
（５）次いで、回転・圧入駆動装置５を再度ケーシング１に接続する（図１（ホ））。
（６）次いで、回転・圧入駆動装置５を貫入時の回転方向と逆方向に回転させながら、ケーシング１を引き抜く（図１（ヘ））。
その際、ケーシング先端に係合していた先端掘削翼２は、ケーシング１の逆回転によりケーシング１から外れて、掘削孔の底に残る。したがって、ケーシング１内に注入された注入材７はケーシング１を引き抜く際に掘削孔内に充満していく。
ケーシング１を引き抜いた後、注入材頭部の深度を確認・調整して小口径コンクリート杭の築造作業を完了する。
注入された注入材７が硬化すれば、所望の性能を備えた小口径コンクリート杭が得られる。
本発明工法により施工された小口径コンクリート杭は、鉛直支持力のみを期待して施工されるものであり、所定の設計・施工方針に従って設計・施工された小口径コンクリート杭の長期並びに短期荷重時の鉛直荷重に対する支持能力が、設計通りの性能を有することが実験によって確かめられた。
【００１９】
前記先端掘削翼２の詳細構造について説明する。
図６（イ）は先端掘削翼２をケーシング１の先端に係合させた状態で示した斜視図、（ロ）は先端掘削翼２を分離させた状態で示した斜視図である。
図２（イ）は先端掘削翼２をケーシング１の先端に係合させた状態で示した正面図、（ロ）は（イ）のＡ−Ａ断面図、（ハ）は上側部分は（イ）のＢ−Ｂ断面図であるが下側部分は（イ）の左側面図で示した図である。
図３は図２における先端掘削翼２のみを示すもので、（イ）、（ロ）、（ハ）はそれぞれ、図２の（イ）、（ロ）、（ハ）における先端金具のみを示す図である。
図４は図３の先端掘削翼２における一部切欠き円板部１２を円形鋼板から切り込み曲げ加工して製作する要領を説明するため図であり、（イ）は素材の円形鋼板（但し、切欠き部ｃが形成された段階のもの）１２’の平面図、（ロ）は製作した一部切欠き円板部１２の模式的な正面図である。
【００２０】
前記先端掘削翼２は、ケーシング径より大径でケーシング１の先端開口を閉塞する一部切欠き円板部１２と、この一部切欠き円板部１２に基部が溶接固定された図示例では正三角形状の板状刃１３と、前記一部切欠き円板部１２の前記板状刃１３と反対側の面に溶接固定された、前記ケーシング１の先端部に嵌合する短い円筒部１１とを備えた構造である。そして、詳細構造は後述するが、図５に示すようなケーシング１との係合構造１５を有している。
前記一部切欠き円板部１２は、ケーシング１の先端開口を閉塞する円形閉塞部１２１（ケーシング１の円周内部分）と、この円形閉塞部１２１に連接してケーシング外周より半径方向外方に一部切欠きの鍔状に延在する翼部１２２とからなり、前記翼部１２２における前記切欠き部ｃの片側近傍は上向きに傾斜して上向き傾斜面部１２２ａを形成し、他側近傍は下向きに傾斜して下向き傾斜面部１２２bを形成する構造である。
【００２１】
前記一部切欠き円板部１２は、直径３５０ｍｍφの円形鋼板を切り込み曲げ加工して製作したものであり、その製作要領を図４を参照して説明すると、素材の円形鋼板１２’に、当該一部切欠き円板部１２に溶接固定される前記円筒部１１（図４に２点鎖線で示す）の下端外周に沿うように所定範囲に円弧状の切込みａを設け、前記切込みａを含む所定範囲を半径方向外側への２本の切込みｂによって扇形状に切り欠いて（切除して）切欠き部ｃを形成し、前記切込みａの各終端と円形鋼板１２’の中心を結ぶ線分の延長線ｄを折曲げ線として前記切欠き部ｃの片側を上方に折曲して前記上向き傾斜面部１２２ａを形成し、前記切欠き部ｃの他側を下方に折曲して前記下向き傾斜面部１２２ｂを形成し、前記上向き傾斜面部１２２ａおよび前記下向き傾斜面部１２２bの切込み部ａにおける傾斜部と非傾斜部の交差部とを溶接接合して製作する。これにより、切欠き部ｃを介在させて対向する上向き傾斜面部１２２ａと下向き傾斜面部１２２bとを有する一部切欠きの鍔状の翼部１２２が円形閉塞部１２１の周囲に形成される。
【００２２】
上記構造の先端掘削翼２において、ケーシング１を回転させて地盤に貫入させる際、下向き傾斜部１２２ｂが、掘削刃である板状刃１３と協働して地盤の掘削を行うとともにケーシング１を下方に引きずり込む推進力を得るように機能する。  また、上向き傾斜部１２２ａも推進力を得るように機能する。これら、下向き傾斜部１２２ｂおよび上向き傾斜部１２２ａの推進力が回転・圧入装置５による押し込み力に加わって、円滑な貫入が行なわれる。
【００２３】
先端掘削翼２のケーシング１に対する係合構造１５は、図５にも斜視図で示すように、ケーシング１の先端部内面に溶接固定した、図示例ではケーシング１の直交する２つの直径方向の４箇所の突起１７と、前記先端掘削翼２の一部切欠き円板部１２の円形閉塞部１２１の裏面（板状刃１３と反対側の面）に固定された、前記各突起１７に係合可能な態様のＬ形係合片１４とによる係合構造である。
ケーシング１の貫入時回転方向は右回転であり、ケーシング１が右回転（矢印ａ）すると、ケーシング１側の突起１７が先端掘削翼２のＬ形係合片１４に当たるので、先端掘削翼２はケーシング１と一体に回転する。引き抜き時にケーシング１が左回転（矢印ｂ）すると、ケーシング１側の突起１７は先端掘削翼２のＬ形係合片１４から離れるので、ケーシング１を引き抜いた時、先端掘削翼２はケーシング１から外れて掘削孔底に残る。
なお、先端掘削翼２とケーシング１との係合構造はこの実施例に限らず、その他適宜の構造を採用することができる。
なお、先端掘削翼２として次の仕様が好適である。
（１）一部切欠き円板部
・材質：ＪＩＳＧ３１０６（溶接構造用圧延鋼材）に規定されるＳＭ４９０Ａ、又はこれと同等以上の機械的性質を有するもの。
・直径φ３５０ｍｍ×厚さ１２ｍｍ
（２）円筒部：ＪＩＳＧ３１０１（一般構造用圧延鋼材）に規定されるＳＳ４００、又はこれと同等以上の機械的性質を有するもの。
（３）板状刃：ＪＩＳＧ３１０１（一般構造用圧延鋼材）に規定されるＳＳ４００、又はこれと同等以上の機械的性質を有するもの。
【００２４】
上記の地盤補強工法によれば、上記の通り、殆んど無排土で施工でき、残土処理も不要となる。
また、掘削孔径が確保されたケーシング１内に注入材を打設するので、品質の安定した
小口径コンクリート杭の築造が可能である。
また、先端掘削翼２を係合させたケーシング１を貫入して孔を掘削した後、掘削孔の底に先端掘削翼２を残置させてケーシング１のみを引き抜きながらケーシング１内に注入材７を注入するので、すなわち、掘削孔径が確保されたケーシング１内に注入材７を打設するので、品質の安定した小口径コンクリート杭の築造が可能である。
簡略化して言えば、ケーシングを貫入させ、注入材を注入し、鉄筋を挿入することなくケーシングを引き抜くという単純な施工手順で、品質の安定した小口径コンクリート杭を得ることができるので、施工が容易であり、施工コストも安く済む。
既製杭工法と異なり、杭材を生産工場から搬送することが不要なので、施工コストも安く済み、施工管理も容易になる。
本発明工法で使用する杭打ち機は小型の杭打ち機を使用することができるので、その点でも施工が容易であり、コストが安価に済む。
このように、本発明によれば、小規模構造物に適用可能な小口径コンクリート杭に特化したことで、残土の排出が殆んどなく、安定した品質を確保することが容易で、しかも施工が容易かつ低コストで施工が可能となっている。
【００２５】
さらに、本発明における先端掘削翼２は、その翼部１２２が、切欠き部空間ｃを挟んで片側に上向き傾斜部１２２ａ、他側に下向き傾斜部１２２ｂを有する構造なので、翼部１２２の両傾斜部１２２ａ、１２２ｂにより大きな推進力が得られ、回転・圧入装置５による押し込み力と合わせて貫入が円滑に行なわれる。
また、ケーシング１を貫入させて掘削する際、翼部１２２に先立って板状刃１３が地盤の掘削をするので、翼部１２２の推進力が効率よく機能するとともに、翼部１２２の両傾斜部１２２ａ、１２２ｂと板状刃１３との相乗作用により、効率的に掘削することができる。
また、実施例の先端掘削翼２は、その一部切欠き円板部１２にＬ形係合片１４を持つので、打設した注入材７が硬化すると、硬化した注入材７とＬ形係合片１４を介して一体化する。したがって、先端金具２の広い翼部１２２で大きな支持力を確保できることができる。すなわち、周面摩擦による支持力だけでなく、特許文献５の回転貫入鋼管杭工法と同様に先端支持力も確保することが可能となる。
【００２６】
図７に本発明の地盤補強工法の適用例を簡略化して示す。図７（イ）は本発明の地盤補強工法を適用して建築した小規模建築物の基礎（図ではべた基礎）の平面図、（ロ）は（イ）のＣ−Ｃ拡大断面図である。図示例ではべた基礎の基礎梁の間隔をあけた適宜の位置に、本発明工法による小口径コンクリート杭７’（図１（イ）の注入材７が硬化したものとして示す）を設置している。
なお、本発明の小口径コンクリート杭で支持する対象の基礎はべた基礎に限らず、布基礎、独立基礎でもよい。
【００２７】
本発明の地盤補強工法を複数実施したが、概略仕様は次の通りである。
（Ａ）ケーシングの仕様
ケーシングの直径：φ２１６．３ｍｍ、
最大施工深さ：施工地盤面から１０ｍ
最小間隔：６０ｃｍ（先端掘削翼の一部切欠き円板部外径の約１．７倍）
但し、使用するケーシングのサイズは上記サイズに限らず、例えばφ１３９．８ｍｍ〜φ３１８．５ｍｍ等のサイズが考えられ、好適にはφ１６５．２ｍｍ〜φ２６７．４ｍｍのサイズである。
（Ｂ）注入材の仕様
（１）コンクリート（呼び強度：２１Ｎ／ｍｍ２）
・単位セメント量：２７０ｋｇ／ｍ３以上
・水セメント比：６５％以下
・スランプ：１８ｃｍ以上
（２）モルタル（配合設計強度：２１Ｎ／ｍｍ２）
・セメント：砂＝１：３
・水セメント比：６５％以下
・スランプフロー：２０ｃｍ以上
（３）セメントミルク＋砕石（配合設計強度２１Ｎ／ｍｍ２）
（ａ）セメントミルク
・水セメント比：５０％
・ブリージング率：３％以下
（ｂ）砕石
・コンクリート用砕石２００５（JIS規格  A−５００５）
・５ｍｍ以上２０ｍｍ以下の粒径      
【００２８】
本発明の地盤補強工法は、長期接地圧が５０ｋＮ／ｍ２以下の構造物に適用して好適である。
対象とする小規模構造物としては、例えば、地上３階以下、高さ１３ｍ以下、軒高９ｍ以下、延べ面積１０００ｍ２以下の各条件を満足する小規模建築物に適用して好適である。なお、高さ３．５ｍ以下の擁壁に適用することもできる。
また、適用基礎構造としては、鉄筋コンクリート造で、基礎スラブ厚さが１５０ｍｍ以上の布基礎、べた基礎、及び独立基礎に適用して好適である。
また、本発明の工法は、砂質土地盤、粘性土地盤、ローム地盤に適用して好適である。
【符号の説明】
【００２９】
１  ケーシング
２  先端掘削翼
３  杭打ち機
４  リーダ
５  回転・圧入駆動装置
６  掘削孔
７  注入材（コンクリートなど）
１１  円筒部
１２  一部切欠き円板部
１２１  円形閉塞部
１２２  翼部
１２２ａ  上向き傾斜面部
１２２ｂ  下向き傾斜面部
１３  板状刃
１４  Ｌ形係合片
１５  （先端金具とケーシングとの）係合構造
１７    突起
１２’（一部切欠き円板部の素材の）円形鋼板
ａ  （円弧状の）切込み
ｂ  （半径方向外側への）切込み
ｃ  切欠き部
ｄ  折曲げ線
【図１】
2014091930.tif 000003
【図２】
2014091930.tif 000004
【図３】
2014091930.tif 000005
【図４】
2014091930.tif 000006
【図５】
2014091930.tif 000007
【図６】
2014091930.tif 000008
【図７】
2014091930.tif 000009